(57)【要約】【課題】複数の景品取得ゲーム装置間で連携して動作制御することで、利便性とゲーム性とを向上させる。【解決手段】景品取得ゲーム装置は、他の景品取得ゲーム装置とのグループを設定する設定手段と、グループ内の他の景品取得ゲーム装置と相互に接続されたネットワークを介してデータ通信を行う通信手段と、通信手段によりグループ内の他の景品取得ゲーム装置から受信された情報に基づいて、動作を制御する動作制御手段と、を備える。【選択図】図４
2018114374.tif 000002
【特許請求の範囲】
【請求項１】
他の景品取得ゲーム装置とのグループを設定する設定手段と、
前記グループ内の他の景品取得ゲーム装置と相互に接続されたネットワークを介してデ
ータ通信を行う通信手段と、
前記通信手段により前記グループ内の他の景品取得ゲーム装置から受信された情報に基
づいて、動作を制御する動作制御手段と、
を備える景品取得ゲーム装置。
【請求項２】
前記情報が前記他の景品取得ゲーム装置の設定情報である場合、
前記設定情報を表示する表示手段をさらに備え、
前記動作制御手段は、
前記設定情報を自装置に反映させるか否かを制御する、請求項１記載の景品取得ゲーム
装置。
【請求項３】
前記情報がイベント情報である場合、
前記動作制御手段は、
前記イベント情報に基づいて自装置の演出動作又はプレイ動作を制御する、請求項１又
は２記載の景品取得ゲーム装置。
【請求項４】
前記イベント情報が前記他の景品取得ゲーム装置において景品が取得されたことを示す
景品取得情報である場合、
前記動作制御手段は、
前記景品取得情報が受信されると、自装置が有する発光手段を発光する演出、及び／又
は自装置が有する出力手段から音を出力する演出を行うよう制御する、請求項３記載の景
品取得ゲーム装置。
【請求項５】
前記動作制御手段は、
自装置がプレイ中のときには、前記景品取得情報が受信されても前記発光手段及び前記
出力手段の演出を行わない、請求項４記載の景品取得ゲーム装置。
【請求項６】
前記イベント情報が所定の条件で発生するボーナス情報である場合、
前記動作制御手段は、
前記ボーナス情報に基づいて、景品が取得されやすくなるよう設定を変更する、又はプ
レイ可能回数を増加させるよう制御する、請求項３乃至５いずれか一項に記載の景品取得
ゲーム装置。
【請求項７】
前記動作制御手段は、
前記グループ内の演出を行う装置間で順番に演出を行うよう制御する、請求項３乃至５
いずれか一項に記載の景品取得ゲーム装置。
【発明の詳細な説明】
【技術分野】
【０００１】
本発明は、景品取得ゲーム装置に関する。
【背景技術】
【０００２】
従来、プレイヤが筐体内の景品を狙って景品取得部を操作し、景品を取得すると景品投
入部に搬送し、景品を獲得できるようにする景品取得ゲーム装置がある。近年、この景品
取得ゲーム装置は、ネットワークを介して他の装置と接続され、データ通信を行うことが
できる。
【０００３】
ネットワークを介して他の装置とデータ通信を行う景品取得ゲーム装置として、例えば
、サーバから受信した設定情報に基づき設定内容を変更したり、ゲームの状態（エラー情
報等）をサーバに送信して、サーバにゲームの状態を管理させたりする装置がある（例え
ば特許文献１参照）。
【先行技術文献】
【特許文献】
【０００４】
【特許文献１】特開２００３−１６４６６２号公報
【発明の概要】
【発明が解決しようとする課題】
【０００５】
しかしながら、従来の景品取得ゲーム装置では、設定変更等を効率良く行うためには、
サーバ等のコンピュータに接続する必要があった。また、従来の景品取得ゲーム装置は、
個々に独立してプレイされるという本来的な特性から、他の景品取得ゲーム装置と連携し
て動作することはおこなわれていなかった。
【０００６】
そこで、本発明は、上記課題に鑑みて、複数の景品取得ゲーム装置間で連携して動作制
御することで、利便性とゲーム性とを向上させることができる景品取得ゲーム装置を提供
することを目的とする。
【課題を解決するための手段】
【０００７】
本発明における一態様の景品取得ゲーム装置によれば、他の景品取得ゲーム装置とのグ
ループを設定する設定手段と、前記グループ内の他の景品取得ゲーム装置と相互に接続さ
れたネットワークを介してデータ通信を行う通信手段と、前記通信手段により前記グルー
プ内の他の景品取得ゲーム装置から受信された情報に基づいて、動作を制御する動作制御
手段と、を備える。
【０００８】
また、景品取得ゲーム装置は、前記情報が前記他の景品取得ゲーム装置の設定情報であ
る場合、前記設定情報を表示する表示手段をさらに備え、前記動作制御手段は、前記設定
情報を自装置に反映させるか否かを制御してもよい。
【０００９】
また、前記情報がイベント情報である場合、前記動作制御手段は、前記イベント情報に
基づいて自装置の演出動作又はプレイ動作を制御してもよい。
【００１０】
また、前記イベント情報が前記他の景品取得ゲーム装置において景品が取得されたこと
を示す景品取得情報である場合、前記動作制御手段は、前記景品取得情報が受信されると
、自装置が有する発光手段を発光する演出、及び／又は自装置が有する出力手段から音を
出力する演出を行うよう制御してもよい。
【００１１】
前記動作制御手段は、自装置がプレイ中のときには、前記景品取得情報が受信されても
前記発光手段及び前記出力手段の演出を行わなくてもよい。
【００１２】
前記イベント情報が所定の条件で発生するボーナス情報である場合、前記動作制御手段
は、前記ボーナス情報に基づいて、景品が取得されやすくなるよう設定を変更する、又は
プレイ回数を増加させるよう制御してもよい。また、前記動作制御手段は、前記グループ
内の演出を行う装置間で順番に演出を行うよう制御してもよい。
【発明の効果】
【００１３】
本発明によれば、複数の景品取得ゲーム装置間で連携して動作制御することで、利便性
とゲーム性とを向上させることができる。
【図面の簡単な説明】
【００１４】
【図１】実施形態における景品取得ゲームシステムの一例を示す概念図である。
【図２】実施形態における景品取得ゲーム装置の外観の構成を示す斜視図である。
【図３】実施形態における景品取得ゲーム装置のコンピュータ部分に関するハードウェア構成の一例を示すブロック図である。
【図４】実施形態における景品取得ゲーム装置の機能構成の一例をブロック図である。
【図５】通信設定を行う設定画面の一例を示す図である。
【図６】親機設定画面（その１）の一例を示す図である。
【図７】親機設定画面（その２）の一例を示す図である。
【図８】グループ申請画面（その１）の一例を示す図である。
【図９】グループ申請画面（その２）の一例を示す図である。
【図１０】親機設定画面（その３）の一例を示す図である。
【図１１】グループ申請画面（その３）の一例を示す図である。
【図１２】接続状況画面の一例を示す図である。
【図１３】他筐体の設定状況の表示画面の一例を示す図である。
【図１４】自筐体の設定状況の表示画面の一例を示す図である。
【図１５】トータル情報表示画面の一例を示す図である。
【図１６】時間ごとのデータ画面の一例を示す図である。
【図１７】メイン情報の一例を示す図である。
【図１８】サウンドデータ画面の一例を示す図である。
【図１９】各ボタンが押された時の画面遷移を示す図である。
【図２０】実施形態における景品取得ゲーム装置の処理の一例を示すフローチャートである。
【発明を実施するための形態】
【００１５】
以下、図面を参照して本発明の実施の形態を説明する。ただし、以下に説明する実施形
態は、あくまでも例示であり、以下に明示しない種々の変形や技術の適用を排除する意図
はない。即ち、本発明は、その趣旨を逸脱しない範囲で種々変形（各実施例を組み合わせ
る等）して実施することができる。また、以下の図面の記載において、同一または類似の
部分には同一または類似の符号を付して表している。図面は模式的なものであり、必ずし
も実際の寸法や比率等とは一致しない。図面相互間においても互いの寸法の関係や比率が
異なる部分が含まれていることがある。
【００１６】
［実施形態］
以下、本発明の実施形態における景品取得ゲーム装置を、図面を用いて説明する。
【００１７】
＜システムの概要＞
図１は、実施形態における景品取得ゲームシステムの一例を示す概念図である。図１に
示すように、例えば景品取得ゲームシステムは、景品取得ゲーム装置１００Ａ〜Ｆが、ネ
ットワークＮを介して相互に接続される。なお、ネットワークに接続される景品取得ゲー
ム装置の数は、図１に示す例に限られない。
【００１８】
景品取得ゲーム装置は、個別に区別して説明する場合には符号１００Ａ、１００Ｂ等を
用い、個別に区別する必要がなく、まとめて説明する場合には符号１００を用いる。
【００１９】
ネットワークＮは、有線／無線通信によるネットワーク等であり、接続された景品取得
ゲーム装置が相互にデータ通信できるように構成されている。例えば、ＩＥＥＥ８０２．
１５．４準拠の無線通信を使ったメッシュ型ネットワーク、ＣＡＮバスにより有線接続さ
れたバス型ネットワーク、無線ＬＡＮやイーサネット（登録商標）により接続されたネッ
トワークが用いられる。ネットワークには、必要に応じて通信を中継するための中継器や
サーバなどが含まれる場合もある。
【００２０】
これにより、個々に独立してゲームが行われる景品取得ゲーム装置間で相互にデータ通
信を行い、複数の景品取得ゲーム装置間で連携して動作制御することで、利便性とゲーム
性とを向上させることができるようになる。
【００２１】
＜景品取得ゲーム装置の構成例＞
図２は、実施形態における景品取得ゲーム装置の外観の構成を示す斜視図である。図２
に示すように、景品取得ゲーム装置１００には、直方体の基台１の上に箱型の収容部２が
設けられる。この収容部２の前面２ａ及び側面２ｂ、２ｃは、透明な樹脂またはガラスの
板状部材によって構成される。
【００２２】
また、収容部２の背面２ｄは、下半分が鏡面の板状部材から構成され、上半分が白色の
板状部材から構成される。このような収容部２には、ぬいぐるみ等の景品３が収容される
。また、収容部２の底部には、景品３を受けるための筒状の景品投入部４が垂直方向に設
けられる。
【００２３】
さらに、収容部２の内部上面には、景品取得部５が吊り下げられ、この景品取得部５は
、内部上面から鉛直方向に吊り下げられた伸縮パイプからなる支持部６と、その下端に設
けられた把持部７とから構成される。
【００２４】
支持部６は、図示しない駆動源によって横行用固定レール及び縦行用可動レール上を走
行可能に構成され、かつ上下方向にも伸縮可能に構成される。また、把持部７は、景品３
を把持するために２本のアーム７ａが開閉可能に設けられる。この２本のアーム７ａは、
通常は閉じた状態であるが、景品を掴む時に開くように構成される。
【００２５】
一方、基台１には、プレイヤがプレイするための操作卓１２が設けられる。この操作卓
１２には、景品取得部５を所望の景品３に対応する位置に停止させるためのボタンスイッ
チ１３が設けられる。ボタンスイッチ１３は、景品取得部５を横方向の所定の位置に停止
させるための第１のボタンスイッチ１３ａと、第１のボタンスイッチ１３ａにより横方向
の所定の位置が決定された景品取得部５を、縦方向の所定の位置に停止させるための第２
のボタンスイッチ１３ｂとを含む。
【００２６】
また、操作卓１２には、プレイの際にプレイヤがコインを投入するコイン投入口１４が
設けられる。さらに、操作卓１２には、液晶パネル等のインターフェース（図示せず）が
設けられる。店舗の管理者は、この液晶パネルから管理者権限を用いて各種設定を行うと
、基台１内部に設けられたコンピュータが、その設定に基づいて景品取得ゲーム装置１０
０を制御する。
【００２７】
＜ハードウェア構成＞
図３は、実施形態における景品取得ゲーム装置１００のコンピュータ部分に関するハー
ドウェア構成の一例を示すブロック図である。
【００２８】
図３に示すように、景品取得ゲーム装置１００のコンピュータ部分は、ＣＰＵ（Centra
l Processing Unit）１０２と、ＲＡＭ（Random Access Memory）１０４と、ＲＯＭ（Rea
d only Memory）１０６と、ドライブ装置１０８と、ネットワークＩ／Ｆ（Interface）１
部１０と、入力装置１１２と、及び表示装置１１４とを有する。これら各構成は、バスを
介して相互にデータ送受信可能に接続される。
【００２９】
ＣＰＵ１０２は、景品取得ゲーム装置１００において、入力装置１１２からの入力に基
づく景品取得部５の制御や、設定情報の制御、データの演算、加工を行う制御部である。
また、ＣＰＵ１０２は、ＲＡＭ１０４又はＲＯＭ１０６に記憶された制御プログラムを実
行する演算装置である。
【００３０】
ＲＡＭ１０４は、例えば主記憶部などである。ＲＡＭ１０４は、ＣＰＵ１０２が実行す
る基本ソフトウェアであるＯＳ（Operating System）やアプリケーションソフトウェアな
どのプログラムやデータを記憶又は一時保存する記憶装置である。
【００３１】
ＲＯＭ１０６は、例えば景品取得ゲーム装置１００の設定情報や、制御プログラムに関
連するデータを記憶する記憶装置である。
【００３２】
ドライブ装置１０８は、記録媒体１１６、例えばＣＤ−ＲＯＭやＳＤカードなどからプ
ログラムやデータ等を読み出し、記憶装置にインストールしたり保存したりする。
【００３３】
また、記録媒体１１６は、所定のプログラムを格納し、この記録媒体１１６に格納され
たプログラムは、ドライブ装置１０８を介して景品取得ゲーム装置１００にインストール
される。インストールされた所定のプログラムは、景品取得ゲーム装置１００により実行
可能となる。記録媒体１１６は、所定のデータを格納し、この記録媒体１１６に格納され
たデータはドライブ装置１０８を介して景品取得ゲーム装置１００に保存される。
【００３４】
ネットワークＩ／Ｆ部１１０は、図１に示すネットワークＮを介して接続される他の景
品取得ゲーム装置１００とのインタフェースである。
【００３５】
入力装置１１２は、図１に示すボタン１３等である。表示装置１１４は、ＬＣＤ（Liqu
id Crystal Display）等により構成され、ＣＰＵ１０２から入力される表示データに応じ
た表示が行われる。なお、本実施形態においては、表示装置１１４は、入力部を有するタ
ッチパネルで構成される。
【００３６】
＜機能構成＞
図４は、実施形態における景品取得ゲーム装置１００の機能構成の一例をブロック図で
ある。図４に示す景品取得ゲーム装置１００は、通信手段２０２と、表示手段２０４と、
設定手段２０６と、発光手段２０８と、出力手段２１０と、動作制御手段２１２とを有す
る。
【００３７】
通信手段２０２は、例えばネットワークＩ／Ｆ部１１０、ＣＰＵ１０２、制御プログラ
ムＣＰ等により実現されうる。通信手段２０２は、他の景品取得ゲーム装置と相互に接続
されたネットワークＮを介してデータ通信を行う。例えば、後述するグループが一旦設定
されると、通信手段２０２は、グループ内の他の景品取得ゲーム装置とデータ通信を行う
。
【００３８】
表示手段２０４は、例えば表示装置１１４、ＣＰＵ１０２、ＲＡＭ１０４、制御プログ
ラムＣＰ等により実現されうる。表示手段２０４は、動作制御手段２１２からの入力され
た表示データに基づいて、他の景品取得ゲーム装置から取得した情報（他装置の設定情報
やイベント情報など）を表示する。
【００３９】
また、表示手段２０４は、タッチパネル等に表示された表示画面のタッチを検知し、タ
ッチ位置に対応するコマンドを動作制御手段２１２に出力する。
【００４０】
設定手段２０６は、例えばＣＰＵ１０２、ＲＡＭ１０４、制御プログラムＣＰ等により
実現されうる。設定手段２０６は、他の景品取得ゲーム装置を含むグループを設定する。
例えば、グループ設定について、親機となる景品取得ゲーム装置が設定され、子機となる
景品取得ゲーム装置から親機の景品取得ゲーム装置にグループ申請が行われ、親機が子機
のグループ申請を許可することでグループ設定が行われる。
【００４１】
これは、通信可能な景品取得ゲーム装置を全てグループ化することを防ぐためである。
例えば、近所にある他店舗の景品取得ゲーム装置からグループ申請が行われたとしても、
上述したグループ設定を採用していれば、その申請を拒否することができる。
【００４２】
発光手段２０８は、例えば景品取得ゲーム装置１００に設けられるランプやＬＥＤの発
光体（図示しない）などにより実現される。発光手段２０８は、動作制御手段２１２の制
御により発光する。例えば、発光手段２０８は、他の景品取得ゲーム装置で景品が取得さ
れた場合や、タイムサービスの場合、プレイヤに１プレイ分のボーナスを与える場合など
に発光する。
【００４３】
出力手段２１０は、例えば景品取得ゲーム装置１００に設けられるスピーカ（図示しな
い）である。出力手段２１０は、動作制御手段２１２の制御により音声や音楽を出力する
。例えば、出力手段２１０は、他の景品取得ゲーム装置で景品が取得された場合にはファ
ンファーレ等を出力したり、タイムサービスの場合、プレイヤに１プレイ分のボーナスを
与える場合などにはその旨を伝える音声を出力したりする。
【００４４】
動作制御手段２１２は、例えばＣＰＵ１０２、ＲＡＭ１０４、制御プログラムＣＰ等に
より実現されうる。動作制御手段２１２は、通信手段２０２により、グループ内の他の景
品取得ゲーム装置から受信された情報に基づいて、自装置の動作を制御する。動作制御手
段２１２は、反映手段２１４と、演出手段２１６と、変更手段２１８とを有する。
【００４５】
反映手段２１４は、受信された情報が他の景品取得ゲーム装置の設定情報である場合、
表示手段２０４に表示された設定情報を自装置に反映させるか否かを制御する。これによ
り、管理者は、他の景品取得ゲーム装置の設定情報を見て確認してから、自装置に反映さ
せるか否かを決定することができる。
【００４６】
演出手段２１６又は変更手段２１８は、受信された情報がイベント情報である場合、こ
のイベント情報に基づいて自装置の演出動作又はプレイ動作を制御する。これにより、グ
ループ内の景品取得ゲーム装置間で連携し、複数の景品取得ゲーム装置において統一的な
演出を行うことができたり、統一的なプレイ動作を可能にしたりする。
【００４７】
例えば、イベント情報が他の景品取得ゲーム装置において景品が取得されたことを示す
景品取得情報である場合、演出手段２１６は、自装置が有する発光手段２０８を発光する
演出、及び／又は自装置が有する出力手段２１０から音を出力する演出を行うよう制御す
る。これにより、景品を取得したプレイヤに対し、グループ内の複数の景品取得ゲーム装
置を用いて祝福の演出を行うことができる。
【００４８】
なお、演出手段２１６は、自装置がプレイ中のとき、つまりプレイヤが景品取得ゲーム
を実行中のときには、景品取得情報が受信されても発光手段２０８及び出力手段２１０の
演出を行わないようにしてもよい。これは、自装置をプレイ中のプレイヤに対し、自装置
のプレイに集中してもらうためである。例えば、景品が取得されていないのに演出が行わ
れると、プレイヤは、その演出を不可解に感じる可能性がある。
【００４９】
また、イベント情報が所定の条件で発生するボーナス情報である場合、変更手段２１８
は、このボーナス情報に基づいて、景品が取得されやすくなるよう設定を変更する、又は
プレイ回数を増加させるよう制御する。所定の条件で発生するボーナス情報とは、例えば
所定時刻になると、所定時間だけのタイムサービスを行うことを示す情報であったり、所
定時間内にグループ内の景品取得ゲーム装置で所定個の景品が取得されたことを示す情報
であったり、店舗内の処理装置等から送信された情報であったりする。
【００５０】
変更手段２１８は、例えば、上述したようなボーナス情報を取得した場合、景品が取得
されやすくなるように、アームの把持力の強さ（パワー）などを設定変更したり、１プレ
イ分のクレジットを付与したりする。これにより、グループ内の景品取得ゲーム装置間で
連携して、個々に独立して操作されるゲームに対し、統一的な設定変更を行うことができ
る。
【００５１】
＜具体例＞
次に、表示装置１１４がタッチパネルを有する操作パネルとした場合、この操作パネル
に表示される画面例を用いて、複数の景品取得ゲーム装置間で連携を行う例について説明
する。
【００５２】
≪グループ設定≫
図５〜１１を用いて、本実施形態におけるグループ設定の一例について説明する。まず
、本実施形態における親機の設定の処理例は、次のとおりである。本実施形態において、
筐体は、景品取得ゲーム装置と同義で用いられる。
（１）筐体間通信を行いたい筐体の中から、任意の１台を親機候補として決定。
（２）筐体名を必要に応じて変更。
（３）グループ名を必要に応じて変更。
（４）親機を登録。
【００５３】
図５は、通信設定を行う設定画面の一例を示す図である。図５に示す設定画面は、例え
ば管理者がログインし、管理者画面から通信設定ボタンが押されたときなどに表示される
画面である。
【００５４】
図５に示す「通信設定」は、他の景品取得ゲーム装置間で通信を行うか否かの設定を行
う機能である。例えば、初期設定では「ＯＮ」に設定されている。また、図５に示す「演
出設定」は、グループ内の装置で景品が取得されたときに演出を行う台数の設定を行う機
能である。この設定は、１台で行われると、グループ内の装置に共有されるため、装置ご
とに設定する必要はない。
【００５５】
図５に示す例では、３、５、１０、２０、３０の中から演出を行う台数を決定すること
ができる。演出について、例えば以下のルールが設定されている。
・プレイ中の装置は、他の装置からの情報に基づいては演出を行わない（最優先）
・最低でも１台は演出を行う
・設定台数が、グループ内の台数よりも多い場合は全台で演出を行う
・設定台数が、グループ内の台数よりも少ない場合は適宜選択された装置が演出を行う
【００５６】
図５に示す「インフォメーション設定」は、「ゲット時」又は「エラー時」に、通信中
の全装置にインフォメーションを送信する機能である。「ゲット時」とは、プライズが取
得された時である。この「ゲット時」が設定されていれば、プライズが取得された時に、
通信中の装置の表示装置に、景品が取得された筐体の筐体番号が表示される。これは、１
個しかプライズが配置されていない運営のときに、プライズが取られたことをオペレータ
に知らせるためであり、プライズが取られたことにオペレータが気付かずに営業ができな
くなることを防ぐことができる。なお、多数のプライズが配置されている場合には、この
設定は行われなくてもよい。
【００５７】
「エラー時」とは、装置内で、機械的な設備不良や設定異常などのエラーが起こった時
である。この「エラー時」が設定されていれば、エラーが起こった時に、通信中の装置の
表示装置に、エラーが起こった筐体の筐体番号が表示される。
【００５８】
図５に示す設定画面は、親機設定ボタンｂ１０２と、グループ申請ボタンｂ１０４とを
有する。設定手段２０６は、ボタンｂ１０２が押されたことを通知されると（１）、親機
を設定するために図６に示す画面に画面遷移させ、ボタンｂ１０４が押されたことを通知
されると（５）、グループ申請を行うために図８に示す画面に画面遷移させる。
【００５９】
図６は、親機設定画面（その１）の一例を示す図である。図６に示す画面には、筐体名
変更ボタンｂ２０２と、グループ名変更ボタンｂ２０４と、親機登録ボタンｂ２０６とが
含まれる。
【００６０】
設定手段２０６は、筐体名変更ボタンｂ２０２が押されたことを通知されると（２）、
ソフトキーボードなどを表示させ、筐体名を変更することを可能にする。設定手段２０６
は、グループ名変更ボタンｂ２０４が押されたことを通知されると（３）、ソフトキーボ
ードなどを表示させ、グループ名を変更することを可能にする。設定手段２０６は、親機
登録ボタンｂ２０６が押されたことを通知されると（４）、この筐体をグループの親機と
して設定する。
【００６１】
図７は、親機設定画面（その２）の一例を示す図である。図７に示す画面は、図６にお
いて、親機登録ボタンｂ２０６が押された後の画面例である。図７に示す例では、親機設
定されると、申請確認ボタンｂ３０２、通信グループ化ボタン、通信グループ解除ボタン
がアクティブになる。
【００６２】
申請確認ボタンｂ３０２は、他筐体（子機）からグループ申請があれば、申請内容を表
示し、管理者に申請の要否を判断させることができるコマンドを発行するボタンである。
通信グループ化ボタンは、グループ申請が許可された筐体のグループ化を決定するための
コマンドを発行するボタンである。通信グループ解除ボタンは、グループ化を解除するた
めのコマンドを発行するボタンである。
【００６３】
次に、本実施形態における子機からのグループ申請について説明する。本実施形態にお
ける子機からのグループ申請の処理例は、次のとおりである。
（５）子機にする全ての筐体から、それぞれグループ申請を行う。
（６）子機の名前を必要に応じて変更。
（７）親機筐体目名を確認し、グループ申請を行う。
【００６４】
図８は、グループ申請画面（その１）の一例を示す図である。図８に示す画面には、筐
体名変更ボタンｂ４０２と、親機確認ボタンｂ４０４と、申請ボタンｂ４０６とが含まれ
る。
【００６５】
設定手段２０６は、筐体名変更ボタンｂ４０２が押されたことを通知されると（６）、
ソフトキーボードなどを表示させ、筐体名を変更することを可能にする。設定手段２０６
は、親機確認ボタンｂ４０４が押されたことを通知されると（７）、図８に示す吹き出し
を表示させ、グループ申請を可能にする。設定手段２０６は、吹き出しに含まれる申請ボ
タンｂ４０６が押されたことを通知されると（７）、この筐体を子機として、親機に対し
てグループ申請を行う。なお、上記のほか、図示はしないが、親機でパスワードを設定し
、子機でも同じパスワードを入力することでグループ化されるようにしてもよい。
【００６６】
図９は、グループ申請画面（その２）の一例を示す図である。図９に示す画面は、（７
）の処理後のグループ申請中であることを示す画面である。
【００６７】
また、グループ内の筐体の上限数が設定されている場合、親機確認ボタンｂ４０４が押
されることで親機の確認を行うことはできるが、設定手段２０６は、グループ内の筐体数
が上限に達している場合、申請ボタンｂ４０６を非アクティブにする。
【００６８】
（５）〜（７）の処理は、グループ化の対象とする全ての筐体から行われる処理である
。また、親機が複数存在する場合は、親機にする筐体名を画面から選択できるようにすれ
ばよい。
【００６９】
次に、本実施形態におけるグループ申請許可とグループ許可確認とについて説明する。
本実施形態におけるグループ申請許可とグループ許可確認の処理例は、次のとおりである
。
（８）親機において、他筐体からのグループ申請の有無を確認。
（９）親機において、グループ申請の許可。
（１０）親機において、許可した筐体の通信をグループ化。
（１１）子機において、グループ化されたことを確認。
【００７０】
図１０は、親機設定画面（その３）の一例を示す図である。図１０に示す画面は、親機
登録後に、図５に示す設定画面から、再び親機設定ボタンｂ１０２が押されたときに表示
される。
【００７１】
図１０に示す画面は、申請確認ボタンｂ３０２が押下され（８）、吹き出しが表示され
ている画面例である。設定手段２０６は、吹き出し中のリストから、「申請中」が押され
たことを通知されると（９）、「申請中」から「許可」に表示変更し、グループの子機候
補として認定する。設定手段２０６は、逆に、「許可」が押されたことを通知されると、
「許可」から「申請中」に表示を戻す。
【００７２】
例えば、グループ内の筐体の上限数が設定されている場合、設定手段２０６は、許可台
数が上限に達すると、それ以上許可することができなくなるようにする。
【００７３】
次に、設定手段２０６は、図１０に示す通信グループ化ボタンが押されたことを通知さ
れると（１０）、許可されている子機候補との通信をグループ化する。ここで、親機を含
めて２台以上の筐体がないと、グループ化を行うことはできない。また、通信がグループ
化されると、グループ内の装置間で通信を行うことができるようになる。これにより、管
理者は、子機からのグループ申請を親機が許可する方式を採用することで、所望の筐体だ
けをグループに設定することができる。
【００７４】
図１１は、グループ申請画面（その３）の一例を示す図である。図１１に示す画面は、
グループ申請をした後に、図５に示す設定画面から、再びグループ申請ボタンｂ１０４が
押されたときに表示される。図１１に示すように、画面上に、グループ名「ＵＦＯ−ａｋ
ｂｅｋｉ」に属していることが表示される。これにより、管理者は、グループに属してい
ることを確認することができる。なお、グループ設定の方法として、親機と子機の関係を
持たせた方法を説明したが、親子関係がない方法として、グループとして設定したい全て
の筐体に共通のパスワード（ないしはグループ番号）を入力することで、同じパスワード
が入力された筐体をグループ化するようにしても良い。
【００７５】
≪他筐体との運営情報の表示≫
次に、図１２〜１９を用いて、本実施形態における他筐体との運営情報の表示について
説明する。まず、図１２〜１５を用いて、本実施形態における接続状況（設定情報）の確
認について説明する。
【００７６】
図１２は、接続状況画面の一例を示す図である。図１２に示す画面は、図５に示す通信
設定がＯＮの時に表示される画面である。また、接続状況画面は、グループ内の筐体全て
が表示され、通信台数に応じてページ数が増加される。また、図１２に表示される売上と
払出数は、データクリア後の現在の情報を示す。
【００７７】
動作制御手段２１２は、図１２に示す設定状況を表示ボタン（以下、単に表示ボタンと
も称す。）が押されると、その筐体の設定状況を表示する。以下に、他筐体の表示ボタン
ｂ５０４が押された場合と、自筐体の表示ボタンｂ５０２が押された場合とについて説明
する。
【００７８】
図１３は、他筐体の設定状況の表示画面の一例を示す図である。図１３に示す画面には
、難易度設定ａｒ１０２、各席設定ａｒ１０４、共通設定ａｒ１０６が表示されている。
なお、設定状況には、パワー設定も含まれる。設定状況に含まれる設定情報について、自
装置は、表示ボタンｂ５０４が押された時点でグループ内の各装置に対し、設定情報を自
装置に送信するようなコマンドを送信してもよい。また、所定のタイミングで各装置が他
の装置に対し、自身の設定情報を送信するようにしてもよい。所定のタイミングとは、例
えばコインが投入されたタイミングなどである。
【００７９】
図１３に示す画面において、例えば下にスクロールをすれば、１Ｐの設定情報が順次表
示され、全ての設定情報が閲覧できるようになっており、例えば右にスクロールをすれば
、２Ｐの設定情報が表示されるようになっている。なお、図１３に示す画面において表示
された情報は、例えば閲覧のみで編集することができない。
【００８０】
反映手段２１４は、図１３に示す読み込み１Ｐボタンｂ６０２が押されたことを通知さ
れると、表示されている他筐体の設定情報を、自筐体の１Ｐ及び／又は２Ｐのブースの設
定情報に上書きで読み込む処理を行う。設定情報を読み込む対象のブースは、１Ｐのブー
スのみか、２Ｐのブースのみか、両方のブースかを、管理者に適宜選択させればよい。こ
れにより、管理者は、グループ内の他筐体の設定情報を確認し、自筐体に読み込むことで
、所望の設定情報に容易に変更することが可能になる。
【００８１】
図１４は、自筐体の設定状況の表示画面の一例を示す図である。図１４に示す画面には
、共通設定ａｒ１０６、パワー設定ａｒ１０８、難易度設定ａｒ１０２が表示されている
。なお、設定状況には、上述したように、各席設定も含まれる。図１４に示す画面では、
図１３に示す他筐体の設定情報が設定されて表示されている。
【００８２】
図１５は、トータル情報表示画面の一例を示す図である。図１５に示す画面には、１Ｐ
、２Ｐそれぞれの運営情報が表示される。運営情報は、筐体名、１００円玉投入枚数、５
００円玉投入枚数、払出数、プレイ回数、サービス回数、売上などを含む。
【００８３】
図１６は、時間ごとのデータ画面の一例を示す図である。図１６に示すように、データ
画面には、例えば、一時間の時間帯ごとに、１Ｐ、２Ｐそれぞれの売上及び払出数のカレ
ントデータが表示される。一日の売上及び払出数は、図１５に示すトータル情報に蓄積さ
れ、図１６に示すデータ画面の売上及び払出数は、例えば一日ごとにクリアされる。
【００８４】
図１７は、メイン情報の一例を示す図である。図１７に示す画面には、例えば、１Ｐ、
２Ｐごとに、筐体名、売上、払出数、プレイ回数、払出後プレイ回数、サービス回数、ク
リアクレジット回数などが表示項目として含まれ、データクリアボタンｂ７０２、ＵＳＢ
に保存するボタンｂ７０４が含まれる。
【００８５】
筐体名については、各編集ボタンを管理者が押すことで、入力画面が表示され、管理者
は入力画面を用いて編集可能となる。払出数の行の「＋」は、プライズをカウントアップ
することができるボタンである。
【００８６】
データクリアボタンｂ７０２は、図１６に示すカレントデータをクリアするためのボタ
ンである。このボタンｂ７０２によりクリアされるデータは、１Ｐと２Ｐとの運営情報（
単価、景品名を除く）、時間ごとのデータ（例えば図１６参照）である。また、表示され
る確認画面内で選択することにより、グループ内の筐体全ての運営情報、時間ごとのデー
タを削除することが可能である。
【００８７】
ＵＳＢに保存するボタンｂ７０４は、他筐体を含む全ての運営情報を外部記録媒体（例
えばＵＳＢメモリ）に保存するためのボタンである。このボタンｂ７０４により保存され
るデータは、グループ内の筐体全ての運営情報、トータル情報（例えば図１５参照）、時
間ごとのデータ（例えば図１６参照）である。各種データの保存形式としては、例えばＣ
ＳＶ形式である。
【００８８】
図１８は、サウンドデータ画面の一例を示す図である。図１８に示す画面には、ＵＳＢ
から読み込みボタンｂ８０２、他筐体に配信ボタンｂ８０４、配信データ確認ｂ８０６が
含まれる。各ボタンを用いて、サウンドデータの読み込みや配信や保存が可能となる。
【００８９】
図１８に示すＵＳＢメモリからの読み込みボタンｂ８０２は、ＵＳＢメモリを自筐体に
差し込んでいるときに押されるボタンである。読み込まれたサウンドデータは、現在保存
されているサウンドデータに対し、例えば上書き保存されることが可能となる。
【００９０】
図１８に示す他筐体に配信ボタンｂ８０４は、グループ内の全ての筐体に配信するため
のボタンである。このボタンｂ８０４が押されたことにより、配信されたサウンドデータ
（配信データ）は、各筐体のＲＡＭに保存されることが可能となる。
【００９１】
図１８に示す配信データ確認ボタンｂ８０６は、他筐体から配信されたサウンドデータ
を確認、保存するためのボタンである。このボタンｂ８０６が押されたことにより、配信
されたサウンドデータは、自筐体のＲＡＭに保存されることが可能となる。
【００９２】
図１９は、各ボタンが押された時の画面遷移を示す図である。図１９（１）に示すよう
に、ボタンｂ８０２が押されると、ＵＳＢメモリから読み込まれるサウンドデータの保存
確認画面、保存中画面、保存終了画面の順に表示される。図１９（２）に示すように、ボ
タンｂ８０４が押されると、配信するサウンドデータの配信確認画面、配信中画面、配信
終了画面の順に表示される。図１９（３）に示すように、ボタンｂ８０６が押されると、
配信データの保存確認画面、保存中画面、保存終了画面の順に表示される。これにより、
管理者は、サウンドデータをグループ内で共有することができる。
【００９３】
≪イベントに関する動作制御≫
例えば、動作制御手段２１２は、グループ内の他の景品取得ゲーム装置から受信された
景品取得情報に基づいて、発光手段２０８を点灯／点滅させたり、出力手段２１０から音
を出力させたりする。これにより、グループ内の景品取得ゲーム装置間で景品取得時の演
出効果を高めることができる。
【００９４】
なお、景品取得時の演出の仕方として、グループ内の全ての装置において演出を行うの
ではなく、景品が取得された装置から近距離にある装置だけに演出を行わせてもよい。各
景品取得ゲーム装置は、各データの通信時に、通信対象となる装置との距離を示す指標を
計測し、記憶しておく。景品が取得された装置は、記憶されている指標に基づいて、一定
の距離以内にあると推定される装置だけに、景品取得情報を送信するようにすればよい。
これにより、景品が取得された装置から遠方にある装置にまで演出を行わせなくて済み、
景品を獲得したプレイヤが認知し得ない無駄な演出を抑えることができるとともに、省電
力効果を高めることもできる。通信対象となる装置との距離を示す指標としては、例えば
ＲＳＳＩ（受信電波強度）、ＲＴＴ（ラウンドタイムトリップ）、などが用いられる。な
お、距離を判別する方法としては、上記のような測定する方法の他、グループ内の他の景
品取得ゲーム装置の一覧から、管理者に近距離の装置を予め選択させるようにしても良い
。
【００９５】
また、タイムサービスを行う場合、タイムサービスを示す情報を取得した各装置は、ア
ームのパワー（把持力など）を、上限を超えない範囲で所定値だけ強く設定するよう設定
値を変更する。これにより、グループ内の装置間で連携してゲーム性を向上させることが
できる。なお、或る装置において、プライズが所定個以上取得された場合などに、タイム
サービスを行ってもよい。
【００９６】
また、景品取得情報に基づき、所定時間内にグループ内の各装置で所定個の景品（プラ
イズ）が取得されたと判断した装置は、グループ内の各装置にボーナス情報を送信し、ゲ
ーム中の装置は、ゲーム中のプレイヤに対し、１回分のクレジットをボーナスとして付与
することができる。これにより、個々で独立して操作されるゲームにおいて、複数のプレ
イヤが、皆で所定個の景品を取得するという共通の意識を持ってゲームを行うことができ
、ゲームの協同性を向上させることができる。
【００９７】
上記例はあくまでも一例であって、受信された情報の内容と、演出動作又はプレイ動作
との組み合わせは適宜変更可能であり、グループ内の装置が情報を共有することで、グル
ープ内の装置間で連携した動作を行うことが可能になる。
【００９８】
＜動作＞
次に、実施形態における景品取得ゲーム装置１００の動作について説明する。図２０は
、実施形態における景品取得ゲーム装置１００の処理の一例を示すフローチャートである
。図２０に示すステップＳ１０２で、通信手段２０２は、他の景品取得ゲーム装置から情
報を受信したか否かを判定する。情報が受信されれば（ステップＳ１０２−ＹＥＳ）ステ
ップＳ１０４に進み、情報が受信されなければ（ステップＳ１０２−ＮＯ）ステップＳ１
０２に戻る。
【００９９】
ステップＳ１０４で、動作制御手段２１２は、受信された情報が、設定情報かイベント
情報かを判定する。情報が設定情報であればステップＳ１０６に進み、情報がイベント情
報であればステップＳ１１４に進む。
【０１００】
ステップＳ１０６で、動作制御手段２１２は、設定情報を表示するか否かを判定する。
動作制御手段２１２は、例えば、図１２に示す画面で他筐体の設定状況ボタンが押された
か否かを判定する。設定情報が表示される場合（ステップＳ１０６−ＹＥＳ）ステップＳ
１０８に進み、設定情報が表示されない場合（ステップＳ１０６−ＮＯ）この処理は終了
する。
【０１０１】
ステップＳ１０８で、動作制御手段２１２は、設定情報を表示手段２０４に表示するよ
う制御する。動作制御手段２１２は、例えば、図１３に示すように選択された他装置の設
定情報を表示手段２０４に表示するよう制御する。
【０１０２】
ステップＳ１１０で、動作制御手段２１２は、他装置の設定情報を反映するか否かを判
定する。動作制御手段２１２は、例えば、図１３に示す読み込みボタンが押されたか否か
を判定する。設定情報が反映される場合（ステップＳ１１０−ＹＥＳ）ステップＳ１１２
に進み、設定情報が反映されない場合（ステップＳ１１０−ＮＯ）この処理は終了する。
【０１０３】
ステップＳ１１２で、反映手段２１４は、他装置の設定情報を自装置の設定情報に反映
させる。
【０１０４】
ステップＳ１１４で、動作制御手段２１２は、イベント情報の内容に基づき、演出が必
要であるか否かを判定する。動作制御手段２１２は、例えば、他装置による景品取得情報
である場合は、演出が必要と判定する。演出が必要と判定されれば（ステップＳ１１４−
ＹＥＳ）ステップＳ１１６に進み、演出が不要と判定されれば（ステップＳ１１４−ＮＯ
）ステップＳ１１８に進む。
【０１０５】
ステップＳ１１６で、演出手段２１６は、発光手段２０８や、出力手段２１０を用いて
演出を行うよう制御する。例えば、演出手段２１６は、発光手段２０８を発光させたり、
出力手段２１０から音声や音楽を出力させたりする。
【０１０６】
ステップＳ１１８で、変更手段２１８は、景品が取得されやすくなるよう設定を変更す
る（例えばアームのパワーを強くするなど）、又はプレイ回数を増加させるよう制御する
。
【０１０７】
以上、実施形態によれば、複数の景品取得ゲーム装置間で連携して動作制御することで
、利便性とゲーム性とを向上させることができる。
【０１０８】
［変形例］
以上、本願の開示する技術の複数の実施形態について説明したが、本願の開示する技術
は、上記に限定されるものではない。例えば、ブースは、２つである必要はなく、１つや
３つ以上などでも本発明を適用することができる。
【０１０９】
また、演出動作について、演出を行う景品取得ゲーム装置は、各装置間で連携（又は連
動）した演出を行うようにしてもよい。演出手段２１６は、各装置で順番に演出を行うよ
うに制御し、例えば、発光手段２０８を用いて、各装置で連動してウェーブが起こってい
るような演出や、順番に音楽が流れたり発光したりする演出を行うことも可能である。
【０１１０】
また、グループについて、グループ内の各装置は、所定の基準を用いてサブグループを
設定してもよい。例えば、ＲＴＴが所定値以内である近距離の装置同士がサブグループ化
され、サブグループ単位で、上述した情報（設定情報やイベント情報など）の通信が行わ
れ、サブグループ単位で、連携して演出動作などが行われてもよい。サブグループを決め
る所定の基準として、距離以外にも、プライズの払出数などが用いられてもよい。
【符号の説明】
【０１１１】
１００  景品取得ゲーム装置
１０２  ＣＰＵ
１０４  ＲＡＭ
１０６  ＲＯＭ
１１２  入力装置
１１４  表示装置
２０２  通信手段
２０４  表示手段
２０６  設定手段
２０８  発光手段
２１０  出力手段
２１２  動作制御手段
２１４  反映手段
２１６  演出手段
２１８  変更手段
【図１】
2018114374.tif 000003
【図２】
2018114374.tif 000004
【図３】
2018114374.tif 000005
【図４】
2018114374.tif 000006
【図５】
2018114374.tif 000007
【図６】
2018114374.tif 000008
【図７】
2018114374.tif 000009
【図８】
2018114374.tif 000010
【図９】
2018114374.tif 000011
【図１０】
2018114374.tif 000012
【図１１】
2018114374.tif 000013
【図１２】
2018114374.tif 000014
【図１３】
2018114374.tif 000015
【図１４】
2018114374.tif 000016
【図１５】
2018114374.tif 000017
【図１６】
2018114374.tif 000018
【図１７】
2018114374.tif 000019
【図１８】
2018114374.tif 000020
【図１９】
2018114374.tif 000021
【図２０】
2018114374.tif 000022
【手続補正書】
【提出日】平成30年5月31日(2018.5.31)
【手続補正１】
【補正対象書類名】特許請求の範囲
【補正対象項目名】全文
【補正方法】変更
【補正の内容】
【特許請求の範囲】
【請求項１】
他の景品取得ゲーム装置とのグループを設定する設定手段と、
前記グループ内の他の景品取得ゲーム装置と相互に接続されたネットワークを介してデータ通信を行う通信手段と、
前記通信手段により前記グループ内の他の景品取得ゲーム装置から受信された第１の情報に基づいて、動作を制御する動作制御手段と、
前記動作制御手段により、発光による演出を行うように制御される発光手段と、
前記第１の情報を発信した前記他の景品取得ゲーム装置を特定する第２の情報を表示する表示手段と、
を備え、
前記動作制御手段は、
自装置が所定の状態にある場合、前記第１の情報が受信されても前記発光手段による演出を行わないように制御することを特徴とする、景品取得ゲーム装置。
【請求項２】
前記所定の状態は、自装置がプレイ中の状態であることを特徴とする請求項１記載の景品取得ゲーム装置。
【請求項３】
前記第１の情報が、前記他の景品取得ゲーム装置において景品が取得された時に発信される情報を含むことを特徴とする請求項１又は２記載の景品取得ゲーム装置。
【請求項４】
前記第１の情報が、前記他の景品取得ゲーム装置においてエラーが起った時に発信される情報を含むことを特徴とする請求項１又は２記載の景品取得ゲーム装置。
【請求項５】
前記第２の情報は、前記第１の情報を発信した前記他の景品取得ゲーム装置の名前情報又は装置番号を含み、
前記設定手段は、自装置の名前情報を変更できるように構成されることを特徴とする請求項３又は４記載の景品取得ゲーム装置。
【請求項６】
前記第１の情報が、前記他の景品取得ゲーム装置において景品が取得された時に発信される情報である場合、
前記動作制御手段は、
前記第１の情報が受信されると、前記発光手段を発光する演出、及び／又は自装置が有する出力手段から音を出力する演出を行うよう制御する、請求項３記載の景品取得ゲーム装置。
【請求項７】
前記動作制御手段は、
前記グループ内の演出を行う装置間で順番に演出を行うよう制御する、請求項１乃至６いずれか一項に記載の景品取得ゲーム装置。